(57)【特許請求の範囲】
【請求項１】
黒トナーで印刷する印刷データを生成する第一の生成手段と、
複数の証券のうちの各証券に透明蛍光トナーで署名鑑、カナ文字、地紋、金融機関ロゴマーク及び顧客マークの少なくとも一つを印刷するか否かが設定されたセキュリティ制御ファイルに基づいて、当該署名鑑、カナ文字、地紋、金融機関ロゴマーク及び顧客マークをそれぞれ印刷するか否かを証券ごとに判別する判別手段と、
前記印刷すると判別された署名鑑、カナ文字、地紋、金融機関ロゴマーク及び顧客マークの少なくとも一つの透明蛍光印刷データ生成に用いる文字データ及びイメージデータの少なくとも一つを証券ごとに取得する取得手段と、
前記署名鑑、前記カナ文字、前記金融機関ロゴマーク又は前記顧客マークの少なくとも一つを印刷する場合は、前記取得された文字データ及びイメージデータの少なくとも一つを透明蛍光トナーで印刷する透明蛍光印刷データとして展開し、前記地紋を印刷する場合は、前記取得された文字データを微小文字へ変換し当該微小文字より成る地紋を予め定められた座標の位置に透明蛍光トナーで印刷する透明蛍光印刷データとして展開し、各証券の透明蛍光印刷データを生成する第二の生成手段と、
前記印刷データを黒トナーで印刷する第一の印刷手段と、
前記各証券の透明蛍光印刷データを透明蛍光トナーで印刷する第二の印刷手段と、
を具備したことを特徴とする証券発行装置。
【発明の詳細な説明】
【０００１】
【発明の属する技術分野】
本発明は、手形や小切手等の証券を発行する証券発行装置に関する。
【０００２】
【従来の技術】
従来、金融機関の事務センター又は営業店等において、金融機関の顧客に対して、未使用の手形や小切手を発行するための証券発行装置が利用されている。この証券発行装置によって発行される手形や小切手の券面には、手形交換所規則に準拠したフォーマットに従って、ほとんどの要件が印刷されている。更に、顧客の名称（カナ文字）又は顧客の署名鑑と、用紙の底辺部分（クリアバンド）には、ＭＩＣＲ（Magnetic Ink Character Recognition：磁気インキ文字読取用字体）方式による口座番号等が券面に印刷されている。
【０００３】
その一方、手形や小切手は有価証券であるために、それらが実際に市場で流通する段階、つまり、金融機関によって発行され、顧客によって振り出された状態における不正使用は排除されなくてはならない。従って、金融機関は、手形や小切手の発行に際して、改ざんや偽造の防止には充分に配慮しなくてはならない。従来、金融機関の一部において、不正コピーを抑止するために、手形や小切手に透かし入りの用紙を採用したり、本物であることを証明するためのホログラム・シールを手形や小切手に貼付したりすることによって、手形や小切手の偽造防止を行っていた。
【０００４】
【発明が解決しようとする課題】
しかしながら、このような透かし入り用紙又はホログラム・シールを用いて手形や小切手を発行する場合、一枚あたりの発行コストがその分高くならざるを得ない。
【０００５】
また、これに対して、金融機関の名称やロゴマーク等を地紋に加工して券面に印刷したり、顧客の署名鑑を券面に印刷したりすることによって、その手形や小切手が本物か否かを識別することを可能にし、偽造防止を図る仕組みも有る。しかし、地紋や署名鑑を券面に印刷するのは、インキ印刷によるため、画一的にしか印刷されず、偽造防止の観点から見ると不充分なものであった。
【０００６】
そのため、金融機関による手形や小切手の発行において、安価でありながら、効果的な偽造防止の仕掛けが強く要望されている。
【０００７】
本発明の課題は、セキュリティの高い証券を低コストで発行することができる証券発行装置を提供することである。
【０００８】
【課題を解決するための手段】
請求項１記載の発明の証券発行装置は、
黒トナーで印刷する印刷データを生成する第一の生成手段と、
複数の証券のうちの各証券に透明蛍光トナーで署名鑑、カナ文字、地紋、金融機関ロゴマーク及び顧客マークの少なくとも一つを印刷するか否かが設定されたセキュリティ制御ファイルに基づいて、当該署名鑑、カナ文字、地紋、金融機関ロゴマーク及び顧客マークをそれぞれ印刷するか否かを証券ごとに判別する判別手段と、
前記印刷すると判別された署名鑑、カナ文字、地紋、金融機関ロゴマーク及び顧客マークの少なくとも一つの透明蛍光印刷データ生成に用いる文字データ及びイメージデータの少なくとも一つを証券ごとに取得する取得手段と、
前記署名鑑、前記カナ文字、前記金融機関ロゴマーク又は前記顧客マークの少なくとも一つを印刷する場合は、前記取得された文字データ及びイメージデータの少なくとも一つを透明蛍光トナーで印刷する透明蛍光印刷データとして展開し、前記地紋を印刷する場合は、前記取得された文字データを微小文字へ変換し当該微小文字より成る地紋を予め定められた座標の位置に透明蛍光トナーで印刷する透明蛍光印刷データとして展開し、各証券の透明蛍光印刷データを生成する第二の生成手段と、
前記印刷データを黒トナーで印刷する第一の印刷手段と、
前記各証券の透明蛍光印刷データを透明蛍光トナーで印刷する第二の印刷手段と、
を具備したことを特徴としている。
【００１１】
【発明の実施の形態】
以下、図を参照して本発明の実施の形態を詳細に説明する。
【００１２】
先ず、構成を説明する。
図１は、本発明の実施の形態に係る証券発行システム１０００の全体構成を示す図である。この証券発行システム１０００は金融機関の事務センター等に設置され、手形や小切手を印刷し、発行するためのものである。
【００１３】
図１において、証券発行システム１０００は、証券の発行業務を統括するホストコンピュータ１００と、ホストコンピュータ１００にネットワークＮを介して相互にアクセス可能な形態で接続され、証券の券面の印刷等を行うクライアント２００と、から構成されている。
【００１４】
ここでのネットワークＮとは、例えば、ＬＡＮ（Local Area Network）、又はＷＡＮ（Wide Area Network）等により構成される通信回線網であり、独立して構築された専用線、或いは一般の電話回線やデジタルデータを伝送可能なＩＳＤＮ（Integrated Services Digital Network）回線等の公衆回線を複数有する。尚、図１において、ホストコンピュータ１００−クライアント２００間の接続を有線接続として図示しているが、これは無線接続であっても良い。
【００１５】
図２は、証券発行システム１０００における証券の発行に係るプログラムの関係を概念的に示す図である。ホストコンピュータ１００とクライアント２００は、それぞれホスト側発行プログラム、及びクライアント側発行プログラムを実行して、相互にデータや各種信号等の送受信を行う。
【００１６】
図２に示すように、ホストコンピュータ１００は、発行受付ファイル１０６ａ（図４参照）内のデータに基づいて作成された発行バッチファイル１０６ｉ（図１２参照）からデータを読み出し、券面に印刷するデータ（印刷データ）や印刷業務に係る制御データを、ネットワークＮを介して、クライアント２００に送信する。また、ホストコンピュータ１００は、クライアント２００による券面の印刷が終了すると、ネットワークＮを介して、クライアント２００から発行終了に係る通知信号を受信する。以上の処理を、ホストコンピュータ１００は、発行バッチファイル１０６ｉ内の全てのレコードに対して行う。
【００１７】
次に、図３を参照して、ホストコンピュータ１００の内部構成を詳細に説明する。図３は、ホストコンピュータ１００の機能的構成を示すブロック図である。図３に示すように、ホストコンピュータ１００は、ＣＰＵ１０１、表示装置１０２、入力装置１０３、ＲＡＭ１０４、記録媒体１０６を有する記憶装置１０５、通信装置１０７、により構成されており、記録媒体１０６を除く各部はバス１０８により相互に接続されており、バス１０８を介してデータの送受信が行われる。また、通信装置１０７には前述のネットワークＮが接続されており、このネットワークＮを介して、クライアント２００と通信するようになっている。
【００１８】
ＣＰＵ（Central Processing Unit）１０１は、記録媒体１０６に格納されているシステムプログラム及び当該システムプログラムに対応する各種アプリケーションプログラムの中から指定されたアプリケーションプログラムを読み出し、ＲＡＭ１０４内に形成されたワークメモリ（図示せず）に展開し、入力装置１０３から入力される各種指示信号等に応じて、当該アプリケーションプログラムに従って各部を集中制御し、各種処理を実行する。そして、その処理結果をＲＡＭ１０４内のワークメモリに格納すると共に、表示装置１０２に表示する。また、ＲＡＭ１０４に格納した処理結果を、記憶装置１０５或いは記録媒体１０６の所定の保存先に保存する。
【００１９】
また、ＣＰＵ１０１は、記録媒体１０６内に格納されたホスト側発行プログラムに従って、後述する証券印刷処理を実行することによって、証券の発行業務を行う。また、各証券に対しセキュリティ機能を提供するために、後述するセキュリティ・マーク生成処理を実行し、透明蛍光トナーを用いて印刷する印刷データ（透明蛍光印刷データ）をＲＡＭ１０４に展開し記録媒体１０６に格納して、クライアント２００に送信する。
【００２０】
表示装置１０２は、ＬＣＤ（Liquid Crystal Display）やＣＲＴ（Cathode Ray Tube）等により構成され、ＣＰＵ１０１から入力される表示信号の指示に従って各種表示データの画面表示を行う。具体的には、ＣＰＵ１０１により実行されるホスト側発行プログラムの処理に必要な各種パラメータを入力する入力画面、また、ホスト側発行プログラムの各処理の工程を示す処理工程画面等を表示する。
【００２１】
入力装置１０３は、文字／英数字入力キー、カーソルキー、及び各種機能キー等を備えたキーボードと、ポインティングデバイスであるマウスと、を備えて構成され、キーボードで押下操作されたキーの押下信号とマウスによる操作信号とを、入力信号としてＣＰＵ１０１へ出力する。具体的には、ＣＰＵ１０１により実行されるホスト側発行プログラムの処理に必要な各種パラメータを入力すると共に、ホスト側発行プログラムの起動や停止等の指示を入力し、その各種入力信号をＣＰＵ１０１に出力する。
【００２２】
ＲＡＭ（Random Access Memory）１０４は、ＣＰＵ１０１により実行されるホスト側発行プログラムの処理に必要なファイル及びパラメータを記憶するワークメモリを有すると共に、ＣＰＵ１０１がホスト側発行プログラムの処理を実行する際に、記録媒体１０６から読み出された各種ファイルや入力又は出力データの他、通信装置１０７を介して受信するデータ等を一時に展開するワークメモリを有する。更に、券面に印刷する印刷データを展開するワークメモリを備える。
【００２３】
記憶装置１０５は、プログラムやデータ等が予め記憶されている記録媒体１０６を有している。この記録媒体１０６は磁気的、光学的記録媒体、若しくは半導体等の不揮発性メモリで構成されており、記憶装置１０５に固定的に設けたもの、若しくは着脱自在に装着するものである。記録媒体１０６にはホスト側発行プログラムが格納されており、また、ホスト側発行プログラムの実行で処理されたデータやファイル等も格納される。
【００２４】
尚、記憶装置１０６が記憶するプログラム又はデータ等は、その一部若しくは全部を他の機器からネットワーク回線等の伝送媒体を介して通信装置１０７から受信して記憶する構成にしても良く、更に、記録媒体１０６はネットワーク上に構築された別のホストコンピュータの記録媒体であっても良い。また、プログラムをネットワーク回線等の伝送媒体を介して他の機器へ伝送して、これらの機器にインストールするように構成しても良い。
【００２５】
この記録媒体１０６には、発行受付ファイル１０６ａ（図４参照）、口座マスタファイル１０６ｂ（図５参照）、証券番号管理ファイル１０６ｃ（図６参照）、支店マスタファイル１０６ｄ（図７参照）、証券用紙フォーマット情報ファイル１０６ｅ（図８参照）、署名鑑データファイル１０６ｆ（図９参照）、顧客マークデータファイル１０６ｇ（図１０参照）、セキュリティ制御ファイル１０６ｈ（図１１参照）、発行バッチファイル１０６ｉ（図１２参照）、基本の印刷フォームが証券の種類（券種）毎に格納される基本フォームデータファイル１０６ｊ、金融機関のロゴマークのイメージデータが格納されるロゴマークデータファイル１０６ｋ、特殊なフォントを作成するためのデータが格納される特殊フォントデータファイル１０６ｌの各種ファイルが格納されている。
【００２６】
図４は、発行受付ファイル１０６ａ内のデータ構成例を示す図である。この発行受付ファイル１０６ａには、金融機関が顧客から証券の発注を受け付けた時点で、どこの支店の、誰が（担当者）、誰から（顧客：入力は当座口座番号）、何を（手形・小切手の種類）、どれだけ発行するかのデータを入力する。図４においては、証券発行ファイル１０６ａは、金融機関番号、支店番号、口座番号、依頼受付者担当者ＩＤ、依頼受付日、依頼券種、依頼冊数をフィールドとして、発行する証券１枚を１レコードとして、それぞれのデータが格納されるテーブルとなっている。
【００２７】
図５は、口座マスタファイル１０６ｂ内のデータ構成例を示す図である。この口座マスタファイル１０６ｂには、顧客が持つ口座に関するデータが格納される。図５においては、口座マスタファイル１０６ｂは、金融機関番号、支店番号、口座番号、顧客名、振出地、署名鑑有無、署名鑑イメージ、カナ文字（顧客名）、顧客マークイメージをフィールドとして、それぞれのデータが格納されるテーブルとなっている。
【００２８】
図６は、証券番号管理ファイル１０６ｃ内のデータ構成例を示す図である。この証券番号管理ファイル１０６ｃには証券番号の採番管理を行うためのデータが格納され、券種毎に証券管理を行っているものである。図６においては、証券番号管理ファイル１０６ｃは、金融機関番号、支店番号、券種番号、証券番号記号部、証券番号数値部をフィールドとして、データが格納されるテーブルとなっている。尚、ここで記録される証券番号は割り当て済みの番号の最終値であるため、新しい証券を印刷する際には、この証券番号は必ず更新される。
【００２９】
図７は、支店マスタファイル１０６ｄ内のデータ構成例を示す図である。この支店マスタファイル１０６ｄには証券を発行する金融機関やその発行支店に関するデータが格納される。図７においては、支店マスタファイル１０６ｄは、金融機関番号、支店番号、支店名、支店住所、交換所番号、交換所名をフィールドとして、データが格納されるテーブルとなっている。
【００３０】
図８は、証券用紙フォーマット情報ファイル１０６ｅ内のデータ構成例を示す図である。この証券用紙フォーマット情報ファイル１０６ｅとは券面の印刷フォーマットを券種毎に格納する制御ファイルで、券面に印刷する文字や図柄の大きさや、ピッチ、Ｘ方向アドレス、Ｙ方向アドレス等のデータが記録される。図８においては、証券用紙フォーマット情報ファイル１０６ｅは、金融機関番号、証券券種コード、基本フォームファイル名称、証券番号印刷記号部桁数、証券番号印刷数値部桁数、証券番号印刷（Ｘ・Ｙアドレス、文字サイズ・ピッチ）、カナ文字印刷（Ｘ・Ｙアドレス、文字サイズ・ピッチ）、透明蛍光印刷用カナ文字（Ｘ・Ｙアドレス、文字サイズ・ピッチ）、署名鑑印刷（Ｘ・Ｙアドレス）、透明蛍光印刷用署名鑑ずらし印刷（Ｘ・Ｙアドレス、）、透明蛍光用署名鑑拡大率、振出地印刷（Ｘ・Ｙアドレス、文字サイズ・ピッチ）、支払地印刷（Ｘ・Ｙアドレス、文字サイズ・ピッチ）をフィールドとして、券種毎にデータが格納されるテーブルとなっている。
【００３１】
図９は、署名鑑データファイル１０６ｆ内のデータ構成例を示す図である。この署名鑑データファイル１０６ｆには、顧客によって申請されて金融機関が登録した署名鑑のイメージデータ（署名鑑印刷データ）が顧客毎に格納される。
【００３２】
図１０は、顧客マークデータファイル１０６ｇ内のデータ構成例を示す図である。この顧客マークデータファイル１０６ｇには、顧客によって登録された屋号やサービスマーク等のマーク（顧客マーク）のイメージデータが顧客毎に格納される。
【００３３】
図１１は、セキュリティ制御ファイル１０６ｈ内のデータ構成例を示す図である。このセキュリティ制御ファイル１０６ｈには、証券毎に、透明蛍光トナーを用いて印刷（透明蛍光印刷）するか否かを制御するためのデータが格納される。図１１においては、セキュリティ制御ファイル１０６ｈは、金融機関ロゴマーク、顧客カナ文字印刷、署名鑑縁取り印刷、顧客マーク印刷、顧客カナ文字地紋加工印刷、金融機関・支店名地紋加工印刷の各項目に対して、透明蛍光印刷をするか否かの設定が格納されるテーブルとなっており、発行する証券１枚を１レコードとして、それぞれのデータが格納される。ここで、透明蛍光印刷されるように設定されている項目（透明蛍光印刷データ）は、透明蛍光トナーを用いて印刷される。
【００３４】
図１２は、発行バッチファイル１０６ｉ内のデータ構成例を示す図である。この発行バッチファイル１０６ｉには、券面に印刷するデータが格納される。ここでのデータは、前述の発行受付ファイル１０６ａ、口座マスタファイル１０６ｂ、証券番号管理ファイル１０６ｃ、支店マスタファイル１０６ｄ、署名鑑データファイル１０６ｆ、顧客マークデータファイル１０６ｇ等内に格納されたデータに基づいて作成される。図１２においては、発行バッチファイル１０６ｉは、金融機関番号、支店番号、口座番号、顧客名、券種コード、証券番号記号部、証券番号数値部、支払地、振り出し地、交換所番号、交換所名、署名鑑有無フラグ、署名鑑イメージ、カナ文字、発行機論理番号、発行機物理番号、依頼受付担当者ＩＤ、依頼受付日をフィールドとし、発行する証券１枚につき１レコードとして、データが格納されるテーブルである。
【００３５】
更に、記録媒体１０６には、前述のファイルを管理するために、証券フォーマットマネージャ１０１ａ、基本フォームマネージャ１０１ｂ、金融機関情報マネージャ１０１ｃ、顧客情報マネージャ１０１ｄ、署名鑑マネージャ１０１ｅ、セキュリティ署名鑑マネージャ１０１ｆ、セキュリティマークマネージャ１０１ｇ、セキュリティ地紋マネージャ１０１ｈ、ロゴマークマネージャ１０１ｉの管理プログラム（マネージャ）が格納されており、ＣＰＵ１０１は、これらのマネージャを実行することによって、券面に印刷する印刷データを作成する。
【００３６】
図１３は、前述のファイルとマネージャとの関係を概念的に示したブロック図である。
【００３７】
先ず、証券フォーマットマネージャ１０１ａは本ブロックの中核をなすものであり、その配下に３つのマネージャ（基本フォームマネージャ１０１ｂ、金融機関マネージャ１０１ｃ、及び顧客情報マネージャ１０１ｄ）をコントロールし、それらの３つのマネージャを通じて各種ファイルを管理することによって、証券の印刷データを作成し、ＲＡＭ１０４に展開する。
【００３８】
証券フォーマットマネージャ１０１ａは、先ず、証券用紙フォーマット情報ファイル１０６ｅを読み込み、配下の３つのマネージャに各種指示を行うと共に情報の受渡を行う。
【００３９】
基本フォームマネージャ１０１ｂは、基本フォームデータファイル１０６ｊ内のデータの読み込みを行い、そのデータを証券フォーマットマネージャ１０１ａに印刷データとして受渡を行う。その印刷例を図１４（ａ）に示す。図１４（ａ）が示すように、基本フォームマネージャ１０１ｂによって、証券の名称、金融機関名、金額欄、振出人欄等の、全ての証券に対して共通に印刷される事項が作成される。
【００４０】
証券の基本フォームに金融機関のロゴマークを挿入する場合には、ロゴマークマネージャ１０１ｉがロゴマークデータファイル１０６ｋからデータを読み出した上で、基本フォームの印刷データを作成する。また、セキュリティ制御ファイル１０６ｈ内のデータにおいて、金融機関のロゴマークに対して透明蛍光印刷するように設定されている場合は、ロゴマークマネージャ１０１ｉはロゴマークデータファイル１０６ｋからデータを読み出し、透明蛍光印刷データとして展開する。
【００４１】
金融機関情報マネージャ１０１ｃは支店マスタ１０６ｄ内のデータを読み取り、証券を発行する金融機関に関する情報について、券面に印刷する必要が有る印刷データを証券用紙フォーマット情報ファイル１０６ｅの内容に従って作成する。金融機関情報マネージャ１０１ｃが作成する印刷データの印刷例を図１４（ｂ）に示す。図１４（ｂ）においては、金融機関の支店名や店番号等が印刷されているが、ここで印刷される事項は証券毎に変わる可能性が有るものである。
【００４２】
顧客情報マネージャ１０１ｅは口座マスタファイル１０６ｂを読み取り、顧客に関する情報について、証券に印刷する必要が有る印刷データを証券用紙フォーマット情報ファイル１０６ｅの内容に従って作成する。顧客情報マネージャ１０１ｄが作成する印刷データの印刷例を図１４（ｃ）に示す。図１４（ｃ）においては、顧客名や口座番号が印刷されているが、ここで印刷される事項は証券毎に変わる可能性が有るものである。
【００４３】
図１５は、図１４（ａ）〜図１４（ｃ）の印刷例に示す証券に印刷された全事項を、一枚の証券に印刷した場合の券面例を示す。
【００４４】
署名鑑マネージャ１０１ｅは口座マスタファイル１０６ｂに署名鑑の印刷を行う旨の指示がされている場合にのみ起動される。その場合、署名鑑データファイル１０６ｆデータを読み出し、証券用紙フォーマット情報ファイル１０６ｅの内容に従って署名鑑印刷データを作成する。
【００４５】
また、セキュリティ制御ファイル１０６ｈ内のデータに、署名鑑を透明蛍光印刷するように設定されている場合には、署名鑑マネージャ１０１ｅは透明蛍光印刷用の署名鑑印刷データを作成する。また、顧客の名称のカナ文字に対して透明蛍光印刷するように設定されている場合には、顧客情報マネージャ１０１ｄが、顧客名のカナ文字の透明蛍光印刷データを作成する。尚、透明蛍光印刷する際の印刷アドレス、ピッチ等はフォーマット情報ファイル１０６ｅに格納されている。
【００４６】
通常の署名鑑とずれた位置に、署名鑑を透明蛍光印刷した場合の証券の印刷例を図１６（ａ）に示す。図１６（ａ）においては、黒トナーで印刷される通常の署名鑑印刷データに対し下右方向にずれた位置に透明署名鑑印刷データが作成されて、合成印刷されている。尚、下右方向にずれる位置は、予め、証券用紙フォーマット情報ファイル１０６ｅに登録されている。また、透明蛍光印刷する署名鑑のデータは、黒トナーで印刷する署名鑑と同じデータを使用する。
【００４７】
図１６（ｂ）は、黒トナーで印刷される通常の署名鑑を透明蛍光トナーで縁取り印刷した場合の証券の印刷例を示す。この際、透明蛍光印刷される透明署名鑑印刷データは、署名鑑印刷データを拡大したものである。尚、通常の拡大率は１０５〜１１０％であるが、その拡大率は証券用紙フォーマット情報ファイル１０６ｅに登録されている。また、この場合の印刷位置は、上下左右の縁取りが均一になるような署名鑑の拡大率に従って決定されることになる。
【００４８】
黒トナーで印刷される通常の署名鑑が印刷される座標位置に、顧客マークを透明蛍光印刷した場合の証券の印刷例を図１６（ｃ）に示す。セキュリティマークマネージャ１０１ｇが顧客マークデータファイル１０６ｇからデータを読み出して透明蛍光印刷データを作成する。この際、透明蛍光印刷される顧客マークが展開される位置は、署名鑑が印刷される座標位置と同じ位置である。
【００４９】
図１６（ｄ）は、黒トナーで印刷される署名鑑が印刷される座標位置に、顧客名を微小文字にして、罫線状に加工した地紋を透明蛍光印刷した場合の証券の印刷例を示す図である。また、図１６（ｅ）は、黒トナーで印刷される署名鑑が印刷される座標位置に、金融機関名及び支店名を微小文字にして、罫線状に加工した地紋を透明蛍光印刷した場合の証券の印刷例を示す。この場合、セキュリティ地紋マネージャ１０１ｈが、口座マスタファイル１０６ｂ又は支店マスタ１０６ｄ内に格納されたデータを読み出し、特殊フォントデータファイル１０６ｌ内に格納される特殊フォントに係るデータに基づいてフォントの加工を行い、透明蛍光印刷データを作成する。尚、この時の地紋は署名鑑の大きさで生成される。また、図１６（ｄ）及び図１６（ｅ）が示すように、各行を２〜３文字ずらして印刷データを生成する。
【００５０】
通信装置１０７は、ルータやターミナルアダプタ（ＴＡ：Terminal Adapter）等によって構成され、専用線、或いはＩＳＤＮ回線等の通信回線を介してネットワーＮに接続されたクライアント２００との通信制御を行う。ＣＰＵ１０１により実行されるホスト側発行プログラムの処理において、クライアント２００への証券発行の指示信号や、発行制御データ、印刷データ等を送信し、また、クライアント２００から送信される証券発行の終了信号等を受信する。
【００５１】
以上がホストコンピュータ１００の構成である。次にクライアント２００の構成について説明する。
【００５２】
図１において、クライアント２００は、証券の印刷業務の制御を行う制御装置１と、証券印刷装置１０と、証券検査装置２０と、から構成されており、制御装置１と証券印刷装置１０及び証券検査装置２０との間には、それぞれケーブルＣ１及びケーブルＣ２により接続されている。
【００５３】
図１７は、制御装置１の機能的構成を示すブロック図である。図１７に示すように、制御装置１は、ＣＰＵ２、表示装置３、入力装置４、ＲＡＭ５、記録媒体７を有する記憶装置６、通信装置８、により構成されており、記録媒体７を除く各部はバス９により相互に接続されている。また、バス９には、前述のケーブルＣ１及びケーブルＣ２を介して、証券印刷装置１０と証券検査装置２０とが接続されている。更に、通信装置８にはネットワークＮが接続されており、制御装置１は、このネットワークＮを介して、ホストコンピュータ１００と接続されている。
【００５４】
ＣＰＵ２は、記録媒体７内に格納されたクライアント側発行プログラムに従って各種処理を実行し、証券印刷装置１０における証券の券面への印刷処理を制御する信号をバス９及びケーブルＣ１を介して証券印刷装置１０に出力すると共に、証券検査装置２０内の各部における動作を監視して制御する各種制御信号をバス９及びケーブルＣ２を介して証券検査装置２０に出力する。
【００５５】
また、クライアント側発行プログラムの処理において、ＣＰＵ２はホストコンピュータ１００からネットワークＮを介して送信される証券発行の指示信号と、発行バッチファイル１０６ｉ等から作成された印刷データを受信し、その印刷データを券面に印刷・発行する。また、証券の発行が終了すると、終了信号をホストコンピュータ１００へ送信する。
【００５６】
表示装置３は、ＣＰＵ２により実行されるクライアント側発行プログラムの処理に必要な各種パラメータを入力する入力画面、また、クライアント側発行プログラムの各処理の工程を示す処理工程画面等を表示する。
【００５７】
入力装置４は、ＣＰＵ２により実行されるクライアント側発行プログラムの処理に必要な各種パラメータを入力すると共に、クライアント側発行プログラムの起動や停止等の指示を入力し、その各種入力信号をＣＰＵ２に出力する。
【００５８】
ＲＡＭ５は、ＣＰＵ２により実行されるクライアント側発行プログラムの処理に必要なファイル及びパラメータを記憶するワークメモリを有すると共に、ＣＰＵ２がクライアント側発行プログラムの処理を実行する際に、記憶装置６から読み出された各種ファイルや入力又は出力データの他に、ホストコンピュータ１００から通信装置８を介して受信する印刷データ等を一時的に展開するワークメモリを有する。
【００５９】
記憶装置６は、プログラムやデータ等が予め記憶されている記録媒体７を有している。この記録媒体７は磁気的、光学的記録媒体、若しくは半導体等の不揮発性メモリで構成されており、記憶装置６に固定的に設けたもの、若しくは着脱自在に装着するものである。記録媒体７にはクライアント側発行プログラム、及びこのプログラムで処理されたデータ等が記憶されている。
【００６０】
通信装置８は、ルータやターミナルアダプタ等によって構成され、専用線、或いはＩＳＤＮ回線等の通信回線を介してネットワーＮに接続されたホストコンピュータ１００との通信制御を行う。ＣＰＵ２によって実行されるクライアント側発行プログラムにおいて、ホストコンピュータ１００から印刷データ等を受信し、更に、証券の発行が終了した旨を示す終了信号等をホストコンピュータ１００に送信する。
【００６１】
図１において、証券印刷装置１０は、ＭＩＣＲ文字印刷用の磁気トナー（黒色トナー）及び透明蛍光トナーの２種類の特殊なインクを用いて、証券の券面に文字や背景（地紋）を印刷・出力する、いわゆるタンデム式の画像形成装置である。
【００６２】
尚、ここで用いられる透明蛍光トナーとは、普段は透明であるが、紫外線を照射することによって蛍光するものである。この透明蛍光トナーによって印刷された文字や図柄は、普段は視認が困難なものだが、例えば、ブラックライト等の紫外線をあてると、その刺激により蛍光をもって明瞭に浮かび上がってきて、視認できるようになる。
【００６３】
証券印刷装置１０は、ＣＰＵ２により実行されるクライアント側発行プログラムの処理に際して、ＣＰＵ２から入力される印刷データや制御データ等に基づいて、証券の印刷を実行する。また、証券の印刷が終了すると、印刷が終了した用紙を後述する証券検査装置２０内のスリッタ部（図示せず）に排紙する。
【００６４】
図１において、証券印刷装置１０は、黒トナーを用いて印刷を行う画像形成ユニット１１、透明蛍光トナーを用いて印刷を行う画像形成ユニット１２、及び搬送部１３により構成されている。
【００６５】
画像形成ユニット１１、及び画像形成ユニット１２は、それぞれ感光体ドラム１１ａ、印字ヘッド１１ｂ及び現像器１１ｃを備えており、現像容器に収納されるトナーの色（黒色、又は透明蛍光色）を除き、同じ構成である。
【００６６】
また、搬送部１３は、搬送ベルト１３ａ、駆動ロール１３ｂ、ガイドローラ１３ｃ、とから構成される。搬送ベルト１３ａは、ガイドローラ１３ｃによって案内され、駆動ロール１３ｂの駆動により回動し、証券用紙を図中左方向へ搬送する。
【００６７】
ＣＰＵ２から入力される印刷データに基づいて、印字ヘッド１１ｂは帯電器（図示せず）によって帯電した感光体ドラム１１ａの周面に光書き込みを行う。そうすることによって、感光体ドラム１１ａには印刷データに基づく静電潜像が形成され、更に、現像器１１ｃによる現像処理によりトナー像が形成される。この時、感光体ドラム１１ａの周面に形成されたトナー像は、現像容器に収納した黒トナーによるものである。そして、そのトナー像は搬送ベルト１３ａによって搬送されてきた用紙に転写される。
【００６８】
黒トナーによるトナー像が転写された用紙は、搬送ベルト１３ａによって更に図中左方向に移動し、透明蛍光トナーを収納する画像形成ユニット１２の位置まで達すると、同じように、透明蛍光トナーによるトナー像が転写される。以上の工程を経ることによって、証券に黒トナー及び蛍光・透明トナーによる画像の転写が行われ、証券検査装置２０へと排出される。
【００６９】
証券検査装置２０は、スリッタ部、用紙走行部及びスタッカ部により構成されている（何れも図示せず）。
【００７０】
スリッタ部は、更にイメージリーダ（図示せず）を備えており、証券印刷装置１０から排紙される用紙を読み取って、正常に印刷された証券（正常証券）と、何らかのエラーを抱えた証券（エラー証券）を分離し、その分離した正常証券とエラー証券を用紙走行部内の各走行経路に排紙する。
【００７１】
用紙走行部は、その内部に用紙搬送経路（図示せず）を備え、その各用紙搬送経路によりスリッタ部から分離排紙される正常証券とエラー証券を１枚ずつ搬送し、スタッカ部にそれぞれ排紙する。
【００７２】
スタッカ部は、用紙搬送経路により搬送される証券を蓄えるスタッカを備える。ここには、２種類の排紙スタッカが設けられており、その一つはノーマルスタッカで、前述の正常証券を蓄えるものである。もう一つはエラースタッカで、エラー証券を蓄えるものである。尚、エラー証券は書損として廃棄される。
【００７３】
次に動作を説明する。
本実施の形態に係るホストコンピュータ１００により実行される証券印刷処理について図１８のフローチャートを参照して詳細に説明する。
【００７４】
先ず、ＣＰＵ１０１は、記録媒体１０６に格納された発行バッチファイル１０６ｉ内のレコードを読み出し（ステップＳ１）、証券番号管理ファイル１０６ｃ内に格納されている証券番号を、例えば、１足すことによって更新する（ステップＳ２）。この証券番号とは、各証券に付与される証券ユニークな番号である。
【００７５】
次に、ＣＰＵ１０１は証券の券面に印刷するフォーマットデータを作成する（ステップＳ３）。そして、ＣＰＵ１０１は、黒トナーで印刷する通常の印刷データ(通常の証券券面データ)を生成して、生成した通常印刷データをクライアント２００に送信する処理と、透明蛍光トナーで印刷する透明蛍光印刷データを生成(セキュリティ・マーク生成処理)し、生成した透明蛍光印刷データをクライアント２００に送信する処理と、証券検査装置２０に排紙するための排紙命令データをクライアント２００に送信する処理を実行することによって、証券の印刷・発行を実行させる（ステップＳ４）。
【００７６】
ＣＰＵ１０１は、発行バッチファイル１０６ｉ内に格納された全レコードの証券の発行が終了したか否かを判別し（ステップＳ５）、全レコードの発行が終了していない場合（ステップＳ５；Ｎ）は、証券番号を更新して、新たなレコードの印刷を行うというステップＳ２からの処理を繰り返す。
【００７７】
発行バッチファイル１０６ｉ内の全レコードの印刷が終了すると（ステップＳ５；Ｙ）、一連の証券印刷処理は終了する。
【００７８】
次に、前記図１８のステップＳ４においてＣＰＵ１０１により実行されるセキュリティ・マーク生成処理について、図１９〜図２１のフローチャートを参照して詳細に説明する。
【００７９】
前提として、セキュリティ・マーク生成処理によって作成される印刷データは証券券面に透明蛍光トナーによって透明蛍光印刷されるもの（透明蛍光印刷データ）であり、透明蛍光印刷することによって、証券にセキュリティ機能を提供する。
【００８０】
先ず、ＣＰＵ１０１は、記録媒体１０６に格納されているセキュリティ制御ファイル１０６ｈ内のデータを読み出し（ステップＳ１１）、セキュリティ制御ファイル１０６ｈ内に格納されている設定データに基づいて、証券を発行する金融機関のロゴマークを証券の券面に透明蛍光印刷するか否かを判別する（ステップＳ１２）。
【００８１】
ステップＳ１２の判別の結果、金融機関のロゴマークを透明蛍光印刷するように設定されている場合は（ステップＳ１２；Ｙ）、ＣＰＵ１０１は、発行バッチファイル１０６ｉ内に格納されている金融機関番号に対応するロゴイメージを、ロゴマークデータファイル１０６ｋから読み出し（ステップＳ１３）、印刷データに展開する（ステップＳ１４）。更に、ＣＰＵ１０１は、発行バッチファイル１０６ｉに記憶されている支店番号に対応する支店名称を読み出して（ステップＳ１５）、その支店名称を印刷データに展開する（ステップＳ１６）。
【００８２】
ステップＳ１２の判別の結果、金融機関のロゴマークを透明蛍光印刷しないように設定されている場合は（ステップＳ１２；Ｎ）、ステップＳ１３〜Ｓ１６をスキップして、ステップＳ１７の処理へと移行する。
【００８３】
次に、ステップＳ１１によって読み出したセキュリティ制御ファイル１０６ｈ内の設定データに基づいて、ＣＰＵ１０１は、顧客名称のカナ文字を透明蛍光印刷するか否かを判別する（ステップＳ１７）。ステップＳ１７の判別の結果、顧客名のカナ文字を透明蛍光印刷するように設定されている場合（ステップＳ１７；Ｙ）は、ＣＰＵ１０１は、発行バッチファイル１０６ｉから顧客名称のカナ文字を取得し（ステップＳ１８）、そのカナ文字を印刷データに展開する（ステップＳ１９）。
【００８４】
ステップＳ１７の判別の結果、顧客名称のカナ文字を透明蛍光印刷しないように設定されている場合は（ステップＳ１７；Ｎ）、ステップＳ１８〜Ｓ１９をスキップして、ステップＳ２０の処理に移行する。
【００８５】
次に、ＣＰＵ１０１は、ステップＳ１１によって読み出したセキュリティ制御ファイル１０６ｈ内の設定データに基づいて、通常の署名鑑を透明蛍光トナーで縁取るか否かを判別する（ステップＳ２０）。ステップＳ２０の判別の結果、署名鑑を透明蛍光トナーで縁取るように設定されている場合は（ステップＳ２０；Ｙ）、ＣＰＵ１０１は、発行バッチファイル１０６ｉから署名鑑イメージポインタを読み出し（ステップＳ２１）、読み出した署名鑑イメージを１０％拡大する（ステップＳ２２）。そして、ＣＰＵ１０１は、ステップＳ２２によって拡大した署名鑑イメージを印刷データとして展開する（ステップＳ２３）。
【００８６】
ステップＳ２０の判別の結果、署名鑑を透明蛍光トナーで縁取るように設定されていない場合は（ステップＳ２０；Ｎ）、ステップＳ２１〜Ｓ２３をスキップして、ステップＳ２４の処理に移行する。
【００８７】
次に、ＣＰＵ１０１は、ステップ１１にて読み出したセキュリティ制御ファイル１０６ｈ内の設定データに基づいて、地紋を透明蛍光印刷するか否かを判別する（ステップＳ２４）。
【００８８】
ステップＳ２４の判別の結果、地紋を透明蛍光印刷するように設定されている場合は（ステップＳ２４；Ｙ）、どのような地紋を印刷するかを決定するために、ＣＰＵ１０１は、ステップＳ１１にて読み出したセキュリティ制御ファイル１０６ｈ内の設定データに基づいて、証券を発行する金融機関の名称及び支店名を加工した地紋を印刷するか否かを判別する（ステップＳ２５）。
【００８９】
ステップＳ２５の判別の結果、金融機関名と支店名の地紋を透明蛍光印刷するように設定されている場合は（ステップＳ２５；Ｙ）、ＣＰＵ１０１は、発行バッチファイル１０６ｉ内から証券を発行する金融機関の名称及び発行支店名を取得する（ステップＳ２６）。次に、ＣＰＵ１０１は、ステップＳ２６にて取得した金融機関の名称と支店名を微小文字にフォント変換して（ステップＳ２７）、署名鑑が印刷される座標位置に、そのフォント変換した微小文字を罫線状に加工して印刷データに展開する（ステップＳ２８）。
【００９０】
ステップＳ２５の判別の結果、金融機関名と支店名の地紋を透明蛍光印刷しないように設定されている場合には（ステップＳ２５；Ｎ）、ＣＰＵ１０１は、顧客名のカナ文字の地紋を透明蛍光印刷するか否かを判別する（ステップＳ２９）。
【００９１】
ステップＳ２９の判別の結果、顧客名のカナ文字の地紋を透明蛍光印刷するように設定されている場合は（ステップＳ２９；Ｙ）、ＣＰＵ１０１は、発行バッチファイル１０６ｉ内から顧客名のカナ文字を取得し（ステップＳ３０）、そのカナ文字を微小文字にフォント変換する（ステップＳ３１）。そして、ＣＰＵ１０１は、署名鑑が印刷される座標位置に、ステップＳ３１にてフォント変換した微小文字を罫線状に加工して印刷データに展開する（ステップＳ３２）。
【００９２】
ステップＳ２９の判別の結果、顧客名のカナ文字の地紋を透明蛍光印刷しないように設定されている場合は（ステップＳ２９；Ｎ）、署名鑑が印刷される座標位置に地紋を印刷するか否かを判別する（ステップＳ３３）。ステップ３３の判別の結果、署名鑑の位置に地紋を透明蛍光印刷するように設定されている場合（ステップＳ３３；Ｙ）、記録媒体１０６に格納されている証券用紙フォーマット情報ファイル１０６ｅ内から署名鑑を印刷する座標を取得する（ステップＳ３４）。そして、発行バッチファイル１０６ｉに格納されている顧客名に対応する追加地紋を読み出し（ステップＳ３５）、読み出した地紋の印刷データを、署名鑑の印刷座標の位置に展開する（ステップＳ３６）。
【００９３】
また、ステップＳ２４の結果、署名鑑の位置に地紋を透明・印刷しないように設定されている場合は（ステップＳ２４；Ｎ）、ＣＰＵ１０１は、例えば、金額を記入する欄の位置のように、署名鑑の位置以外に追加で地紋を透明蛍光印刷するか否かを判別する（ステップＳ３７）。
【００９４】
ステップＳ３７の判別の結果、追加で地紋を透明蛍光印刷する場合は（ステップＳ３７；Ｙ）、ＣＰＵ１０１は、発行バッチファイル１０６ｉ内から金融機関名、支店名、顧客名のカナ文字を取得して（ステップＳ３８）、それらを微小文字にフォント変換をする（ステップＳ３９）。そして、金額欄を印刷する座標の位置に、ステップＳ３９にてフォント変換をした微小文字を印刷データとして展開する（ステップＳ４０）。
【００９５】
ステップＳ３３の判別の結果、署名鑑の座標位置に地紋を透明蛍光印刷しないよう設定されている場合（ステップＳ３３；Ｎ）、又はステップＳ３７の判別の結果、署名鑑の座標位置以外にも地紋を透明蛍光印刷しないように設定されている場合、又は前述のステップＳ４０の処理が終了すると、一連のセキュリティ・マーク生成処理が終了する。
【００９６】
以上説明した様に、本発明の実施の形態に係るホストコンピュータ１００は、手形や小切手等の証券の券面を印刷するクライアント２００にネットワークＮを介して接続されており、黒トナーで印刷する印刷データと、顧客に応じて、偽造を防止するために透明蛍光トナーを用いて印刷する透明蛍光印刷データを作成する。クライアント２００はネットワークＮを介してこれらの印刷データを受信し、黒トナー及び透明蛍光トナーを用いて券面の印刷を行う。
【００９７】
従って、コピー機やスキャナ等による光学的な読取手段を用いて証券を偽造しても、例えば、ブラックライト等の紫外線をあてると、透明蛍光トナーを用いて印刷された文字や図柄が再現されず、偽造された証券であることを目視で容易に識別することができる。即ち、透明蛍光トナーは特殊なトナーのため、一般的なコピー機やプリンタ等では同等のものを印刷することができない。また、黒トナーと透明蛍光トナーを用いた印刷を１パスで実現するので、証券の発行業務に係る効率性は高く、且つ、トナーの色毎に印刷機を用意する必要が無いため、経済的である。従って、セキュリティの高い証券を安価に発行することができる。
【００９８】
更に、透明なトナーを用いて印刷するために、偽造防止の仕掛けが目立つことがなく、証券が市場に流通している段階においても、その美観や利便性が損なわれることは無い。
【００９９】
また、微小文字を罫線状に加工した地紋を透明蛍光トナーで印刷するので、装飾による見た目の品位の高さと、加工度の高さにより、セキュリティの強度が高い証券を発行することができる。
【０１００】
加えて、顧客に応じて異なる項目を透明蛍光トナーで印刷するので、バリエーションに富んだ証券の発行を行うことができることになり、顧客に対して画一的な印刷しかできない従来の印刷機と比較して、有利な効果を奏することになる。
【０１０１】
尚、本発明は、前述の実施の形態に限定されるものではなく、本発明の趣旨を逸脱しない範囲で適宜変更が可能である。例えば、前述の実施の形態における証券発行システム１０００は、ホストコンピュータ１００と、クライアント２００内の制御装置１とを同一のコンピュータシステムとして構成するものとしても良い。その場合には、証券発行システム全体のサイズを小さくできる。更には、前述のホストコンピュータ１００とクライアント２００とを接続するためのネットワークＮが不要となり、その間の通信処理の削減を図ることも可能である。
【０１０２】
【発明の効果】
請求項１記載の発明の証券発行装置によれば、印刷データを黒トナーで印刷すると共に、透明蛍光印刷データを透明蛍光トナーで印刷する。例えば、黒トナーを用いて要件を印刷し、透明蛍光トナーを用いて顧客毎に設定された項目を証券に印刷する場合に、コピー機やスキャナ等による光学的な読取手段にて証券を偽造しても、紫外線をあてると、透明蛍光トナーを用いて印刷された項目が蛍光されず、目視で確認することにより、偽造された証券であることを容易に識別することができる。即ち、透明蛍光トナーは特殊なトナーのため、一般的なコピー機やプリンタ等では同等のものを印刷することができない。また、黒トナーと透明蛍光トナーとによる印刷を１パスで実現するので、証券の発行業務に係る効率性は高く、且つ、トナー毎に印刷機を必要としないので、費用が安く済む。従って、セキュリティの高い証券を安価に発行することができる。また、証券ごとに透明蛍光印刷の印刷種類の印刷の要否を設定して透明蛍光印刷できる。
【０１０３】
また、透明なトナーを用いるために、偽造防止の仕掛けが目立つことがなく、証券が市場に流通している段階においても、その美観や利便性が損なわれることは無い。
【０１０４】
請求項２記載の発明の証券発行装置によれば、請求項１記載の発明の効果に加えて、黒トナーで印刷する署名鑑とは上下左右にずれた位置に、透明蛍光トナーで署名鑑を印刷するので、装飾による見た目の品位の高さと、加工度の高さにより、セキュリティの強度が高い証券を発行することができる。
【０１０５】
請求項３記載の発明の証券発行装置によれば、請求項１記載の発明の効果に加えて、黒トナーで印刷する署名鑑を透明蛍光トナーで縁取りながら印刷するので、装飾による見た目の品位の高さと、加工度の高さにより、セキュリティの強度が高い証券を発行することができる。
【０１０７】
また、透明なトナーを用いて地紋を印刷するので、偽造防止の仕掛けが目立つことがなく、証券が市場に流通している段階においても、その美観や利便性が損なわれることは無い。
【０１１２】
更に、顧客に応じて異なる項目を透明なトナーを用いて印刷するので、偽造防止の仕掛けが目立つことがなく、証券が市場に流通している段階においても、その美観や利便性が損なわれることは無い。
【図面の簡単な説明】
【図１】本発明の実施の形態に係る証券発行システム１０００の全体構成を示す図である。
【図２】図１の証券発行システム１０００における証券発行に係るプログラムの関係を概念的に示す図である。
【図３】図１のホストコンピュータ１００の機能的構成を示すブロック図である。
【図４】発行受付ファイル１０６ａ内のデータ構成例を示す図である。
【図５】口座マスタファイル１０６ｂ内のデータ構成例を示す図である。
【図６】証券番号管理ファイル１０６ｃ内のデータ構成例を示す図である。
【図７】支店マスタファイル１０６ｄのデータ構成例を示す図である。
【図８】証券用紙フォーマット情報ファイル１０６ｅのデータ構成例を示す図である。
【図９】署名鑑データファイル１０６ｆのデータ構成例を示す図である。
【図１０】顧客マークデータファイル１０６ｇのデータ構成例を示す図である。
【図１１】セキュリティ制御ファイル１０６ｈのデータ構成例を示す図である。
【図１２】発行バッチファイル１０６ｉのデータ構成例を示す図である。
【図１３】図１のホストコンピュータ１００における印刷データの作成に係るマネージャとファイルとの関係を概念的に示す図である。
【図１４】（ａ）は、基本フォームのみを印刷した場合の証券（小切手）の印刷例を示す図である。（ｂ）は、可変データである金融機関の支店名や店番号を印刷した場合の証券（小切手）の印刷例を示す図である。（ｃ）は、可変データである顧客の名称や口座番号を印刷した場合の証券（小切手）の印刷例を示す図である。
【図１５】図１４（ａ）〜図１４（ｃ）において、証券に印刷された全事項を一枚の証券に印刷した場合の証券の印刷例を示す図である。
【図１６】（ａ）は、署名鑑を下右方向にずらして透明蛍光印刷した場合の証券の印刷例を示す図である。（ｂ）は、署名鑑を透明蛍光トナーで縁取った場合の証券の印刷例を示す図である。（ｃ）は、署名鑑が印刷される座標位置に顧客マークを透明蛍光印刷した場合の証券の印刷例を示す図である。（ｄ）は、署名鑑が印刷される座標位置に、顧客名の微小文字を罫線状に加工した地紋を透明蛍光印刷した場合の証券の印刷例を示す図である。（ｅ）は、署名鑑が印刷される座標位置に、金融機関名及び支店名の微小文字を罫線状に加工した地紋を透明蛍光印刷した場合の証券の印刷例を示す図である。
【図１７】図１のクライアント２００の機能的構成を示すブロック図である。
【図１８】ホストコンピュータ１００のＣＰＵ１０１により実行される証券印刷処理の動作を示すフローチャートである。
【図１９】ホストコンピュータ１００のＣＰＵ１０１により実行されるセキュリティ・マーク生成処理の動作を示すフローチャートである（図１９〜図２１でセキュリティ・マーク生成処理を示す）。
【図２０】ホストコンピュータ１００のＣＰＵ１０１により実行されるセキュリティ・マーク生成処理の動作を示すフローチャートである（図１９〜図２１でセキュリティ・マーク生成処理を示す）。
【図２１】ホストコンピュータ１００のＣＰＵ１０１により実行されるセキュリティ・マーク生成処理の動作を示すフローチャートである（図１９〜図２１でセキュリティ・マーク生成処理を示す）。
【符号の説明】
１０００    証券発行システム
１００    ホストコンピュータ
１０１    ＣＰＵ
１０１ａ    証券フォーマットマネージャ
１０１ｂ    基本フォームマネージャ
１０１ｃ    金融機関情報マネージャ
１０１ｄ    顧客情報マネージャ
１０１ｅ    署名鑑マネージャ
１０１ｆ    セキュリティ署名鑑マネージャ
１０１ｇ    セキュリティマークマネージャ
１０１ｈ    セキュリティ地紋マネージャ
１０１ｉ    ロゴマークマネージャ
１０２    表示装置
１０３    入力装置
１０４    ＲＡＭ
１０５    記憶装置
１０６    記録媒体
１０６ａ    発行受付ファイル
１０６ｂ    口座マスタファイル
１０６ｃ    証券番号管理ファイル
１０６ｄ    支店マスタファイル
１０６ｅ    証券用紙フォーマット情報ファイル
１０６ｆ    署名鑑データファイル
１０６ｇ    顧客マークデータファイル
１０６ｈ    セキュリティ制御ファイル
１０６ｉ    発行バッチファイル
１０６ｊ    基本フォームデータファイル
１０６ｋ    ロゴマークデータファイル
１０６ｌ    特殊フォントデータファイル
１０７    通信装置
１０８    バス
Ｎ    ネットワーク
２００    クライアント
１    制御装置
２    ＣＰＵ
３    表示装置
４    入力装置
５    ＲＡＭ
６    記憶装置
７    記録媒体
８    通信装置
９    バス
１０    証券印刷装置
１１    画像形成ユニット（黒トナー用）
１１ａ    感光体ドラム
１１ｂ    印字ヘッド
１１ｃ    現像器
１２    画像形成ユニット（透明蛍光トナー用）
１３    搬送部
１３ａ    搬送ベルト
１３ｂ    駆動ロール
１３ｃ    ガイドローラ
２０    証券検査装置
Ｃ１    ケーブル
Ｃ２    ケーブル
【図１】
0004000811.tif 000002
【図２】
0004000811.tif 000003
【図３】
0004000811.tif 000004
【図４】
0004000811.tif 000005
【図５】
0004000811.tif 000006
【図６】
0004000811.tif 000007
【図７】
0004000811.tif 000008
【図８】
0004000811.tif 000009
【図９】
0004000811.tif 000010
【図１０】
0004000811.tif 000011
【図１１】
0004000811.tif 000012
【図１２】
0004000811.tif 000013
【図１３】
0004000811.tif 000014
【図１４】
0004000811.tif 000015
【図１５】
0004000811.tif 000016
【図１６】
0004000811.tif 000017
【図１７】
0004000811.tif 000018
【図１８】
0004000811.tif 000019
【図１９】
0004000811.tif 000020
【図２０】
0004000811.tif 000021
【図２１】
0004000811.tif 000022